(57)【要約】【課題】スロットロッドの長手方向に延在する単一の溝に複数本の光ファイバ心線が収納され、該スロットロッドの外側がシースで被覆されてなる、布設作業性の良い光ケーブルの提供。【解決手段】光ケーブル１は、スロットロッド２の長手方向に沿って複数枚のテープ心線３を収納する単一の溝２ａが設けられ、スロットロッド２の外側をシース５で被覆してなる。スロットロッド２の溝ａの底部２ｃから、光ケーブル１の中心部分を含むように突出する凸部２ｄを有し、該凸部２ｄの光ケーブル１の中心部分に抗張力体６が埋設一体化されている。【選択図】図１
2012013770.tif 000002
【特許請求の範囲】
【請求項１】
スロットロッドの長手方向に沿って複数本の光ファイバ心線を収納する単一の溝が設けられ、スロットロッドの外側をシースで被覆してなる光ケーブルであって、
前記スロットロッドの溝の底部から、光ケーブルの中心部分を含むように突出する凸部を有し、該凸部の前記光ケーブルの中心部分に抗張力体が埋設一体化されていることを特徴とする光ケーブル。
【請求項２】
前記シースにおける前記スロットロッドの溝の開口側とは反対側に当該シースを引裂くための引裂き紐を有することを特徴とする請求項１に記載の光ケーブル。
【発明の詳細な説明】
【技術分野】
【０００１】
本発明は、スロットロッドの長手方向に延在する単一の溝に複数本の光ファイバ心線が収納され、該スロットロッドの外側がシースで被覆されてなる光ケーブルに関する。
【背景技術】
【０００２】
近年の映像配信、ＩＰ電話、データ通信等のブロードバンドサービスの拡大により、光ファイバによる家庭向けのデータ通信サービス（ＦＴＴＨ：Fiber To The Home）の加入者が増加している。このＦＴＴＨでは、幹線光ケーブルからドロップ光ケーブルを用いて加入者宅等に引き落されている。加入者宅への光ファイバの引き落しは、例えば、市街の電柱等に布設された幹線光ケーブルを、通常、クロージャと称されている接続函で分岐し、分岐された光ファイバ心線にドロップ光ケーブルを融着接続又は光コネクタを用いて接続している。
【０００３】
図３は、幹線光ケーブルとして用いられる従来の光ケーブルの一例を示す断面図である（例えば、特許文献１参照）。図の光ケーブル１０は、１００心以下の比較的少ない心数の光ファイバ心線が必要とされる用途に主に用いられるものであり、テープ心線１１が収容される溝１２ａが一つ形成されたスロットロッド１２を備える。単一の溝１２ａでより多くの光ファイバ心線すなわちテープ心線１１を収容するため、溝１２ａの深さはスロットロッド１２の半径より大きくなっている。
【０００４】
また、光ケーブル１０では、テープ心線１１が溝１２ａに収納されたスロットロッド１２の外周に押え巻きテープ１３が巻き付けられ、該テープ１３の外側が、押し出し成型で形成されたシース１４で被覆される。そして、スロットロッド１２の溝１２ａの両側には、抗張力体１５が一本ずつ埋め込まれている。
【０００５】
図４は、幹線光ケーブルとして用いられる従来の光ケーブルの他の例を示す断面図である（例えば、特許文献２参照）。図４の光ケーブル２０は、図３の光ケーブル１０と同様に、テープ心線１１が収容される溝２１ａが一つ形成されたスロットロッド２１を備え、スロットロッド２１の外周に、押し出し成型で形成されたシース２２で被覆されている。光ケーブル２０は、図３の光ケーブル１０と異なり、スロットロッド２１の溝２１ａの底部側に抗張力体２３が一本埋め込まれており、シース２２において該抗張力体２３に対し溝２１ａを挟んで対向する位置に一本の抗張力体２４が埋め込まれている。
【先行技術文献】
【特許文献】
【０００６】
【特許文献１】特開平８−２１１２６１号公報
【特許文献２】特許第４３７６２５７号公報
【発明の概要】
【発明が解決しようとする課題】
【０００７】
図３や図４に示すような形態で抗張力体を２本備える場合、光ケーブルに曲げの方向性が生じ、すなわち、曲げやすい方向や曲げ難い方向が生じ、布設作業性が良くない。具体的には、図３の光ケーブル１０では、図の上下方向には曲げやすいが、左右方向にはほとんど曲がらず、また、図４の光ケーブル２０では、図の左右方向には曲げやすいが、上下方向にはほとんど曲がらない。
【０００８】
本発明は、上述のごとき実情に鑑みてなされたもので、スロットロッドの長手方向に延在する単一の溝に複数本の光ファイバ心線が収納され、該スロットロッドの外側がシースで被覆されてなる、布設作業性の良い光ケーブルを提供することを目的とする。
【課題を解決するための手段】
【０００９】
本発明の光ケーブルは、スロットロッドの長手方向に沿って複数本の光ファイバ心線を収納する単一の溝が設けられ、スロットロッドの外側をシースで被覆してなるものであって、スロットロッドの溝の底部から、光ケーブルの中心部分を含むように突出する凸部を有し、該凸部の光ケーブルの中心部分に抗張力体が埋設一体化されていることを特徴とする。
【００１０】
なお、シースにおけるスロットロッドの溝の開口側とは反対側に当該シースを引裂くための引裂き紐を有することが好ましい。
【発明の効果】
【００１１】
本発明の光ケーブルによれば、抗張力体が光ケーブル中央に配されているため、光ケーブルに曲げやすい方向や曲げ難い方向が生じないので、布設作業性が良い。
【図面の簡単な説明】
【００１２】
【図１】本発明の光ケーブルの一例を説明する図である。
【図２】本発明の光ケーブルの他の例を説明する図である。
【図３】従来の光ケーブルの一例を示す断面図である。
【図４】従来の光ケーブルの他の例を説明する図である。
【発明を実施するための形態】
【００１３】
図１は、本発明の光ケーブルの一例を示す断面図である。
本発明の光ケーブルは、例えば、図１において参照符号１で例示するように、スロットロッド２、テープ心線３、縦添えテープ４、シース５、抗張力体（テンションメンバともいう）６からなり、その直径は７ｍｍ程度である。
【００１４】
スロットロッド２は、スロットロッド２の長手方向に沿って延在する溝２ａを有し、溝２ａの内部には、その開口２ｂから挿入された複数（図の例では６枚）のテープ心線３が収納される。スロットロッド２は、ポリエチレン等の樹脂材を用いて、その外径が５ｍｍ程度になるよう形成される。本光ケーブル１は、スロットロッド２の構成に特徴があるものであるが、この特徴的な構成については後述する。なお、テープ心線３は、複数の光ファイバ心線が平行一列に配列されてテープ状に一体化されたものである。
【００１５】
光ケーブル１では、テープ心線３が溝２ａに収納されたスロットロッド２の開口２６が
縦添えテープ４で覆われており、該テープ４に覆われた状態のスロットロッド２が、押し出し成型で形成されたシース５で被覆される。
縦添えテープ４は、スロットロッド２の溝２ａからテープ心線３が飛び出すのを防ぐと共に、シース５が溝２ａ内に入り込まないようにするためのものであり、ポリエステル等の繊維からなる不織布等が用いられる。
シース５は、ポリエチレンなどの熱可塑性樹脂を用いて形成され、その厚さは１ｍｍ程度である。抗張力体６は、光ファイバの破断や性能低下を防ぐためのものであり、例えば直径１．２〜１．４ｍｍの鋼線であり、スロットロッド２に埋設一体化される。
【００１６】
中間分岐等でこの光ケーブル１からテープ心線３を取り出すには、例えば、まず、シース５に、円周方向の切れ目を輪切り状に２箇所入れ、さらに、これら２箇所の切れ目が結ばれるように、シース５に長手方向の切れ目を入れる。そして、切れ目部分をニッパなどの工具により開いていくことでシース５を除去し、また、縦添えテープ４を除去する。これにより、内部のテープ心線３を取り出すことができる。
なお、テープ心線３が収納された溝２ａを避けて長手方向の切れ目を入れることができるよう、シース５に突起など目印となるものを設けておくとよい。
【００１７】
以上のような光ケーブル１の特徴的な構造について以下に説明する。
光ケーブル１において、スロットロッド２は、溝２ａの底部２ｃから開口２ｂに向け突出する凸部２ｄを有し、該凸部２ｄが光ケーブル１の中心部分を含むように形成されている。そして、この凸部２ｄに、抗張力体６が、光ケーブル１の中心部分に配されるように埋設されている。
このように、光ケーブル１は、１本の抗張力体６が光ケーブル１の中央に配されているため、曲げやすい方向や曲げ難い方向が生じないので、布設作業性が良い。
【００１８】
また、スロットロッド２の溝２ａの深さ、すなわち、開口２ｂから底部２ｃまでの距離は、スロットロッド２の半径より大きくなっており、その底部２ｃから抗張力体６を埋設一体化するための上記凸部２ｄが突出する形態となっている。そのため、本光ケーブル１は、テープ心線３の収容空間が大きく維持された布設作業性の良いケーブルとなっている。
【００１９】
図２は、本発明の光ケーブルの他の例を示す断面図である。なお、本例の光ケーブルについて、図１の光ケーブル１と同様な部分については同じ参照符号を付すことによりその説明を省略する。
図２の光ケーブル１’は、図１の光ケーブル１と同様、スロットロッド２の長手方向に沿って複数枚のテープ心線３を収納する単一の溝２ａが設けられ、スロットロッド２の外側をシース５で被覆してなる。スロットロッド２の底部２ｃには、図１の例と同様な凸部２ｄを有し、該凸部２ｄにおける光ケーブル１’の中心部分に対応する位置に抗張力体６が埋設されている。
【００２０】
しかし、光ケーブル１’は、図１の光ケーブル２とは異なり、シース５’におけるスロットロッド２の溝２ａの開口２ｂ側とは反対側の部分に、当該シース５’を引裂くための引裂き紐７を有する。このように引裂き紐７を設けることで、容易にシース５’を引裂いてテープ心線３を取り出すことができる。また、外部から引裂き紐７の位置が容易に判別できるように、シース５の引裂き紐７に対応する位置に突起５ａ’を設けるとよい。
【００２１】
なお、引裂き紐７には、ノンメタリックの柔軟性があり引張り強度の大きいプラスチックヤーンを用いることができる。引裂き紐７には、細径の金属線で形成することも可能であるが、ケーブルに曲げ方向性が生じ、取扱性が低下するのであまり好ましくない。
以上の例では、複数の光ファイバ心線がテープ状に設けられたテープ心線を収納していたが、単心の光ファイバ心線を複数本収納することもできる。
【符号の説明】
【００２２】
１…光ケーブル、２…スロットロッド、２ａ…溝、２ｂ…開口、２ｃ…底部、２ｄ…凸部、３…テープ心線、４…縦添えテープ、５…シース、６…抗張力体、７…引裂き紐。
【図１】
2012013770.tif 000003
【図２】
2012013770.tif 000004
【図３】
2012013770.tif 000005
【図４】
2012013770.tif 000006